(57)【要約】【課題】高温の装飾カバーに触れることによる不都合を防止できると共に、高温の装飾カバーからの放熱を防止できる調理器を提供する。【解決手段】内鍋１５を収容する内鍋収容部１９を有する調理器本体１１と、調理器本体１１に開閉可能に配設され、内鍋１５の上端開口を閉蓋する蓋体１２と、内鍋収容部１９から連続した調理器本体１１の上部を覆う装飾カバー４１と、調理器本体１１に形成された、装飾カバー４１の外周縁４９を被覆するカバー被覆部３１とを備えた。【選択図】図５
2014217689.tif 000002
【特許請求の範囲】
【請求項１】
内鍋を収容する内鍋収容部を有する調理器本体と、
前記調理器本体に開閉可能に配設され、前記内鍋の上端開口を閉蓋する蓋体と、
前記内鍋収容部から連続した前記調理器本体の上部を覆う装飾カバーと、
前記調理器本体に形成された、前記装飾カバーの外周縁を被覆するカバー被覆部と、
を備えた調理器。
【請求項２】
前記装飾カバーは金属製である、請求項１に記載の調理器。
【請求項３】
前記カバー被覆部は、前記調理器本体の外周部に設けられた樹脂製の突出部である、請求項１または２に記載の調理器。
【請求項４】
前記装飾カバーが複数に分割された、請求項１から３のいずれかに記載の調理器。
【請求項５】
前記装飾カバーは、
前記調理器本体の上部手前を覆う第１カバーと、
前記調理器本体の上部奥側を覆う第２カバーと、
を備えた、請求項４に記載の調理器。
【請求項６】
前記内鍋のフランジが載置する環状の鍋載置部材に左右一対の板状部を設け、
前記第１カバーおよび第２カバーの少なくとも一部を前記調理器本体の上部と前記板状部とにより挟持した請求項１から５のいずれかに記載の調理器。
【請求項７】
前記鍋載置部材は樹脂製である、請求項６に記載の調理器。
【発明の詳細な説明】
【技術分野】
【０００１】
本発明は、装飾カバーを有する調理器に関する。
【背景技術】
【０００２】
特許文献１には、本体開口上面部に装飾カバーが配設された炊飯器が記載されている。しかし、この炊飯器では、金属製の装飾カバーの外周縁が炊飯器本体の外周側面部から露出しているため、ユーザが炊飯中や保温中に熱伝導により高温になった装飾カバーの外周縁に触れる恐れがあり、好ましくない。また、装飾カバーの熱が外周縁から大気中に放散し、炊飯器内の温度が低下してしまう。
【先行技術文献】
【特許文献】
【０００３】
【特許文献１】特開２００２−２７２５９７号公報
【発明の概要】
【発明が解決しようとする課題】
【０００４】
本発明は、調理器内の熱が伝導することで高温になった装飾カバーに触れることによる不都合を防止できると共に、高温の装飾カバーからの放熱を防止できる調理器を提供する。
【課題を解決するための手段】
【０００５】
内鍋を収容する内鍋収容部を有する調理器本体と、
前記調理器本体に開閉可能に配設され、前記内鍋の上端開口を閉蓋する蓋体と、
前記内鍋収容部から連続した前記調理器本体の上部を覆う装飾カバーと、
前記調理器本体に形成された、前記装飾カバーの外周縁を被覆するカバー被覆部と、
を備えた。
【０００６】
上記構成により、装飾カバーが調理器本体の外周側面部から露出するのを防止する。従って、調理器内の熱が装飾カバーに伝導し装飾カバーが高温になった場合に、ユーザが装飾カバーの外周縁に触れるという不都合を防止できる。また、装飾カバーの熱が外周縁から大気中に放散し、装飾カバーの温度が低下することによる調理器内の温度低下を防止できる。
【０００７】
前記装飾カバーは金属製であることが好ましい。
【０００８】
これにより、蓋体開放時の調理器の見栄えを良くすると共に、調理器本体の清掃をする際に、装飾カバーに付着した汚れがとれやすく、容易に手入れができる。
【０００９】
前記カバー被覆部は、前記調理器本体の外周部に設けられた樹脂製の突出部であることが好ましい。
【００１０】
樹脂製の突出部が装飾カバーを被覆することで、確実に、装飾カバーが調理器本体の外周部から露出するのを防止できる。
【００１１】
前記装飾カバーが複数に分割されてもよい。
特に、前記装飾カバーは、
前記調理器本体の上部手前を覆う第１カバーと、
ｘ  前記調理器本体の上部奥側を覆う第２カバーと、
を備えることが好ましい。
【００１２】
上記構成により、装飾カバーを１枚のカバーで構成した場合と比較して、第１カバーおよび第２カバーそれぞれの形状が小さくなるため、装飾カバーの調理器本体への取付け作業性を向上できる。更に、第１カバーおよび第２カバーそれぞれの形状が小さくなるため、製造時の誤差、組み立て時の誤差を少なくでき、また、装飾カバーの輸送時に外部から衝撃を受けることにより、装飾カバーが塑性変形するのを防止できる。従って、装飾カバーを調理器本体に装着したときに、装飾カバーと調理器本体との間に隙間が生じるのを防止できる。
【００１３】
前記内鍋のフランジが載置する環状の鍋載置部材に左右一対の板状部を設け、
前記第１カバーおよび第２カバーの少なくとも一部を前記調理器本体の上部と前記板状部とにより挟持することが好ましい。
【００１４】
上記構成により、装飾カバーを固定する部品の数を増やすことなく装飾カバーを調理器本体に固定することができる。
【００１５】
前記鍋載置部材は樹脂製であることが好ましい。
【００１６】
熱伝導率の低い樹脂を用いることで、ユーザが内鍋を着脱する際に、手が鍋載置部材に触れても不都合を生じることはない。
【発明の効果】
【００１７】
本発明によれば、調理器内の熱が伝導することで高温になった装飾カバーに触れることによる不都合を防止できると共に、高温の装飾カバーからの放熱を防止できる。
【図面の簡単な説明】
【００１８】
【図１】本発明の実施形態に係る炊飯器において蓋体が開放した状態を示す斜視図。
【図２】図１の炊飯器本体の分解斜視図。
【図３】図２の肩体、装飾カバーおよび鍋載置部材の上方斜視図。
【図４】図２の肩体、装飾カバーおよび鍋載置部材の下方斜視図。
【図５】炊飯器の図３のV-V線断面図。
【図６】炊飯器の図３のVI-VI線断面図。
【発明を実施するための形態】
【００１９】
以下、本発明の実施形態を、炊飯器を例にして図面に従って説明する。
【００２０】
図１に示すように、炊飯器（調理器）１０は、炊飯器本体１１と、後述するヒンジ軸（図示せず）を中心に回動し、炊飯器本体（調理器本体）１１に開閉可能に取り付けられた蓋体１２とを備えている。
【００２１】
図２を併せて参照すると、炊飯器本体１１は、内鍋１５と、内鍋１５を収容する内鍋収容部１９を有する有底の胴部１８と、胴部１８の上部に設けられる肩体２４とを備えている。胴部１８および肩体２４の一部が、炊飯器本体１１の外周部を構成している。肩体２４の上方には、肩体２４の上面を覆う装飾カバー４１と、内鍋１５が載置される鍋載置部材５１とが配設される。
【００２２】
内鍋１５は内部に、例えば、飯米および水がセットされる公知の鍋であり、上端開口縁にはフランジ１６が形成されている。
【００２３】
胴部１８の略中央には、内鍋１５を上端を除いて収容できる内鍋収容部１９が設けられている。また、胴部１８の奥側上面には、上方に向かって延びる一対のヒンジ装着部２０が設けられている。ヒンジ装着部２０の上端部には、ヒンジ軸を軸支するヒンジ孔２１が形成されている。以下、炊飯器１０のヒンジ装着部２０側（図２中、矢印Ａ方向）を奥側、ヒンジ装着部２０と反対側を手前側、矢印Ａ方向と垂直の方向を左右側という。
【００２４】
肩体２４は、樹脂製である。図３および図４に示すように、肩体２４は、開口２５と、突出部（カバー被覆部）３１と、垂下板３３と、手前側傾斜面３６と、奥側傾斜面３７とを備えている。
【００２５】
開口２５は、肩体２４の略中央に形成され、内鍋収容部１９の上縁に一致する。開口２５の縁には、手前側に形成された補強板支持部２６と、上方に延びる周壁２７とが設けられている。補強板支持部２６は、図１に示すように、蓋体１２を閉じたときに蓋体１２の爪１３が係止する金属製の補強板１４を内部に収容している。補強板支持部２６と周壁２７とには、複数のねじ孔２８が形成されている。
【００２６】
突出部３１は、肩体２４の奥側に位置する壁部２９が形成された部分を除いて、肩体２４の全周に形成されている。突出部３１は、肩体２４の外周部に形成され、手前側傾斜面３６および奥側傾斜面３７の上端部から上方に突出している。
【００２７】
垂下板３３は、肩体２４の縁から垂下している。垂下板３３の外表面には複数のリブ３４が設けられており、このリブ３４が胴部１８の被係止孔２２（図２参照）に係止することで、肩体２４が胴部１８に装着される。
【００２８】
手前側傾斜面３６は、手前側の突出部３１と開口２５との間に形成されている。また、手前側傾斜面３６は、手前側の突出部３１から開口２５に向かって、上方から下方に傾斜している。
【００２９】
奥側傾斜面３７は、奥側の突出部３１と開口２５との間に形成されている。また、奥側傾斜面３７は、奥側の突出部３１から内方に向かって、上方から下方に傾斜している。
【００３０】
手前側傾斜面３６と奥側傾斜面３７との外側縁部には、突出部３１に沿って、後述する装飾カバー４１を取り付ける取付け孔３８が形成されている。
【００３１】
装飾カバー４１は、金属製である。これにより、蓋体１２を開放した時の炊飯器１０の見栄えを良くすると共に、炊飯器本体１１の清掃をする際に、装飾カバー４１に付着した汚れがとれやすく、容易に手入れができる。
【００３２】
また、装飾カバー４１は、第１カバー４２と第２カバー４６とを備えている。第１カバー４２は、肩体２４の手前側傾斜面３６を覆っている。第２カバー４６は、肩体２４の奥側傾斜面３７を覆っている。
【００３３】
以上のように、装飾カバー４１が第１カバー４２と第２カバー４６とで構成されているので、装飾カバー４１を１枚のカバーで構成した場合と比較して、第１カバー４２および第２カバー４６それぞれの形状が小さくなる。従って、装飾カバー４１の炊飯器本体１１への取付け作業性を向上できる。更に、第１カバー４２および第２カバー４６それぞれの形状が小さくなるため、製造時の誤差、組み立て時の誤差を少なくでき、また、装飾カバー４１の輸送時に外部から衝撃を受けることにより、装飾カバー４１が塑性変形するのを防止できる。従って、装飾カバー４１を炊飯器本体１１に装着したときに、装飾カバー４１と肩体２４との間に隙間が生じるのを防止できる。
【００３４】
第１カバー４２は、平面視が略弓形の板状である。第１カバー４２は、手前側縁部から下方に向かって延びる複数の第１爪部４３と、両端部の奥側縁部を鍋載置部材５１に向かって上方に折り曲げた第１折曲部４４とを有している。また、第１カバー４２の両端には、第２カバー４６に向かって突出する第１突出片４５が形成されている。
【００３５】
第２カバー４６は、手前側縁部が円弧状に形成され、奥側中央部は肩体２４の壁部２９が挿通するように切り欠かれた板状である。第２カバー４６は、外側縁部から下方に向かって延びる複数の第２爪部４７と、手前側縁部を鍋載置部材５１に向かって上方に折り曲げた第２折曲部４８とを有している。また、第２カバー４６の両端には、第１カバー４２に向かって突出する第２突出片５０が形成されている。
【００３６】
鍋載置部材５１は樹脂からなるリング状であり、装飾カバー４１の上方に配設される。鍋載置部材５１の材料として熱伝導率の低い樹脂を用いることで、ユーザが内鍋１５を着脱する際に、手が鍋載置部材５１に触れても不都合を生じることはない。鍋載置部材５１は、支持部用カバー部５３と、第１押え部５５と、湾曲面部６０と、第２押え部６４とを備えている。
【００３７】
支持部用カバー部５３は手前側に形成され、鍋載置部材５１を肩体２４に固定した状態で補強板支持部２６を覆っている。
【００３８】
一対の第１押え部５５は、支持部用カバー部５３の両端から奥側に延びている。第１押え部５５は、断面が逆凹形である。第１押え部５５を構成する第１外側面部５６の内面下部には、第１カバー４２の第１折曲部４４の先端部と当接する第１当接面５７が形成されている。鍋載置部材５１が第１カバー４２を介して肩体２４に固定されると、第１押え部５５は、第１外側面部５６の下端で第１折曲部４４を肩体２４に向かって押圧し、第１折曲部４４を肩体２４との間に挟み込んで第１カバー４２を固定すると共に、肩体２４の周壁２７を覆っている。
【００３９】
第１押え部５５の奥側端部に連続する湾曲面部６０は、上面が下方に湾曲している。湾曲面部６０の外側（左右両側）には一対の板状部６１が設けられ、この板状部６１の端部に挿通孔６８が形成されている。
【００４０】
鍋載置部材５１が第１カバー４２を介して肩体２４に固定されると、板状部６１の手前側端部が第１カバー４２の第１突出片４５と当接し、肩体２４の上部との間で第１突出片４５を挟持する。同様に、鍋載置部材５１が第２カバー４６を介して肩体２４に固定されると、板状部６１の奥側端部が第２カバー４６の第２突出片５０と当接し、肩体２４の上部との間で第２突出片５０を挟持する。従って、装飾カバー４１を固定する部品の数を増やすことなく、第１カバー４２と第２カバー４６を調理器本体１１に固定することができる。
【００４１】
第２押え部６４は、湾曲面部６０の奥側に位置し、平面視が円弧状である。第２押え部６４は、断面が逆凹形である。第２押え部６４を構成する第２外側面部６５の内面下部には、第２カバー４６の第２折曲部４８の先端部と当接する第２当接面６６が形成されている。鍋載置部材５１が第２カバー４６を介して肩体２４に固定されると、第２押え部６４は、第２外側面部６５の下端で第２折曲部４８を肩体２４に向かって押圧し、第２折曲部４８を肩体２４との間に挟み込んで第２カバー４６を固定すると共に、肩体２４の周壁２７を覆っている。
【００４２】
挿通孔６８は、肩体２４のねじ孔２８と対応する位置に形成されている。挿通孔６８は、鍋載置部材５１を装飾カバー４１を介して肩体２４に固定するねじ（図示せず）を挿通する。
【００４３】
次に、炊飯器本体１１を組み立てる手順を説明する。
【００４４】
まず、胴部１８の上部に肩体２４を装着するために、肩体２４の垂下板３３を胴部１８の内面に嵌め込み、肩体２４のリブ３４を胴部１８の被係止孔２２に係止する。更に、肩体２４の手前側の取付け孔３８に、第１カバー４２の第１爪部４３を上方から挿入する。同様に、肩体２４の奥側の取付け孔３８に、第２カバー４６の第２爪部４７を上方から挿入する。そして、鍋載置部材５１の第１当接面５７に第１カバー４２の第１折曲部４４の先端部を当接すると共に、第２当接面６６に第２カバーの第２折曲部４８の先端部を当接して、鍋載置部材５１を肩体２４に取り付ける。この後、ねじを鍋載置部材５１の挿通孔６８に挿入し、肩体２４のねじ孔２８にねじ込むことで、鍋載置部材５１を肩体２４に固定する。このとき、第１爪部４３および第２爪部４７が肩体２４の取付け孔３８に挿入され、爪部４３，４７を折り曲げると共に、第１折曲部４４と第２折曲部４８とが鍋載置部材５１に押圧され、第１カバー４２と第２カバー４６とが肩体２４に固定される。最後に、炊飯器本体１１の内鍋収容部１９に内鍋１５を収容し、内鍋１５のフランジ１６を鍋載置部材５１の上面に載置する。
【００４５】
炊飯器本体１１を組み立てた状態では、図５に示すように、肩体２４の突出部３１が、第１カバー４２の外周縁４９ａを被覆している。同様に、図６に示すように、肩体２４の突出部３１が、第２カバー４６の外周縁４９ｂを被覆している。これにより、装飾カバー４１が炊飯器本体１１の側面から露出するのを防止している。従って、炊飯器１０内の熱が装飾カバー４１に伝導し装飾カバー４１が高温になった場合に、ユーザが装飾カバー４１の外周縁４９（４９ａ，４９ｂ）に触れるという不都合を防止できる。また、装飾カバー４１の熱が外周縁４９から大気中に放散し、装飾カバー４１の温度が低下することによる炊飯器１０内の温度低下を防止できる。
【００４６】
更に、内鍋１５のフランジ１６が鍋載置部材５１に載置されるので、フランジ１６と装飾カバー４１とを離間して配置できる。従って、内鍋１５と装飾カバー４１とが接触することにより、内鍋１５の熱が装飾カバー４１に伝導し装飾カバー４１が高温になるのを防止できる。これにより、ユーザが装飾カバー４１に接触することによる不都合を防止できる。また、内鍋１５の熱が装飾カバー４１を介して放散することによる、炊飯性能および保温性能の低下を抑制できる。
【００４７】
なお、本発明は前記実施形態に限定されず、種々の変形が可能である。
【００４８】
前記実施形態では、調理器として炊飯器を例に説明したが、これに限定されない。突出部３１に関しては、前記実施形態では肩体２４に設けたが、これに限定されない。例えば、肩体を有しない炊飯器では、突出部３１を胴部に設けてもよい。また、装飾カバーの外周縁を被覆する限り、突出部３１の形状は、特に限定されない。
【００４９】
前記実施形態では、装飾カバーを金属から、肩体を樹脂からそれぞれ構成したがこれに限定されず、種々の材料を用いて構成してもよい。また、装飾カバーを２つに分割したがこれに限定されず、肩体の上面を覆う限り、３つ以上に分割してもよく、その形状は特に限定されない。
【００５０】
鍋載置部材５１に関しては、前記実施形態ではリング状に形成したが、装飾カバー４１と内鍋１５とを離間して配置する限り、その形状は特に限定されない。
【符号の説明】
【００５１】
１０  炊飯器（調理器）
１１  炊飯器本体（調理器本体）
１５  内鍋
１８  胴部
１９  内鍋収容部
２４  肩体
３１  突出部（カバー被覆部）
４１  装飾カバー
４２  第１カバー
４５  第１突出片
４６  第２カバー
４９（４９ａ，４９ｂ）  外周縁
５０  第２突出片
５１  鍋載置部材
６１  板状部
【図１】
2014217689.tif 000003
【図２】
2014217689.tif 000004
【図３】
2014217689.tif 000005
【図４】
2014217689.tif 000006
【図５】
2014217689.tif 000007
【図６】
2014217689.tif 000008